(57)【要約】【課題】本発明は、ディスプレイのフレームが小さくい見えるディスプレイ保護カバー及び電子装置を提供することを目的とする。【解決手段】本発明のディスプレイ保護カバーは、電子装置のディスプレイを保護し、第一表面、及び第一表面と対向する第二表面を備え、使用する際第二表面と隣接してディスプレイに貼付し、第二表面における少なくとも１つの辺と隣接する個所に光学構造が設置され、光学構造は、少なくとも１つの凹溝を備える。【選択図】図３
2017078841.tif 000002
【特許請求の範囲】
【請求項１】
電子装置のディスプレイを保護し、第一表面、及び前記第一表面と対向する第二表面を備え、使用する際前記第二表面と隣接して前記ディスプレイに貼付するディスプレイ保護カバーにおいて、
前記第二表面における少なくとも１つの辺と隣接する個所に光学構造が設置され、前記光学構造は、少なくとも１つの凹溝を備えることを特徴とするディスプレイ保護カバー。
【請求項２】
前記光学構造は、少なくとも２つの凹溝を備え、前記２つの凹溝は、互いに隣接し、且つ互いに平行することを特徴とする請求項１に記載のディスプレイ保護カバー。
【請求項３】
各凹溝は、隣接する前記凹溝の辺に向ける方向に沿って延在されることを特徴とする請求項１に記載のディスプレイ保護カバー。
【請求項４】
請求項１から３のいずれか１項に記載のディスプレイ保護カバーを応用する電子装置において、
前記電子装置は、ディスプレイを備え、前記ディスプレイは、ディスプレイ表示区域及び前記ディスプレイ表示区域の周縁に設置されたフレームを備え、前記ディスプレイ保護カバーの第二表面は、前記ディスプレイに貼付し、且つ前記光学構造が前記フレームと対向することを特徴とする電子装置。
【請求項５】
前記光学構造は、前記凹溝の延在方向と垂直になる方向に沿って前記ディスプレイ保護カバーによって完全に覆われ、且つ前記フレームと対向していることを特徴とする請求項４に記載の電子装置。
【発明の詳細な説明】
【技術分野】
【０００１】
本発明は、ディスプレイ保護カバー及び該ディスプレイ保護カバーを使用している電子装置に関するものである。
【背景技術】
【０００２】
現在のスマートフォン、タブレットパソコン等の電子装置は、それぞれディスプレイを備えている。しかし、ディスプレイの周辺には、一定な幅を有するフレームが形成されて、ディスプレイが小さく見え、且つ視覚効果がよくない。
【発明の概要】
【発明が解決しようとする課題】
【０００３】
以上の問題点に鑑みて、本発明は、ディスプレイのフレームが小さく見えるディスプレイ保護カバー及び電子装置を提供することを目的とする。
【課題を解決するための手段】
【０００４】
上記の課題を解決するために、本発明のディスプレイ保護カバーは、電子装置のディスプレイを保護し、第一表面、及び第一表面と対向する第二表面を備え、使用する際第二表面と隣接してディスプレイに貼付し、第二表面における少なくとも１つの辺と隣接する個所に光学構造が設置され、光学構造は、少なくとも１つの凹溝を備える。
【０００５】
上記の課題を解決するために、本発明の電子装置は、上述のディスプレイ保護カバーを応用し、電子装置は、ディスプレイを備え、ディスプレイは、ディスプレイ表示区域及びディスプレイ表示区域の周縁に設置されたフレームを備え、ディスプレイ保護カバーの第二表面は、ディスプレイに貼付し、且つ光学構造がフレームと対向する。
【発明の効果】
【０００６】
本発明のディスプレイ保護カバー及び電子装置は、光学構造がディスプレイ保護カバーによって設置されるので、ディスプレイ保護カバーを電子装置のディスプレイに貼付して使用する際、ディスプレイとディスプレイ保護カバーとの間の周縁に微細化の視覚効果が発生して、ディスプレイのフレームが狭く見える効果が得られ、且つフレームが見えない視覚効果が得られる。
【図面の簡単な説明】
【０００７】
【図１】本発明の実施例に係るディスプレイ保護カバーの斜視図である。
【図２】図１に示したディスプレイ保護カバーのＩＩ−ＩＩ線に沿う断面図である。
【図３】図２に示したディスプレイ保護カバーのＩＩＩ箇所の拡大図である。
【図４】本発明の実施例に係る電子装置の斜視図である。
【図５】図１に示した電子装置のＩＶ−ＩＶ線に沿う断面図である。
【発明を実施するための形態】
【０００８】
図１及び図４に示したように、実施例に係るディスプレイ保護カバー１０は、電子装置１００に設置されて、ディスプレイ１１０を保護する。ディスプレイ保護カバー１０は、第一表面１１及び第一表面１１と対向する第二表面１３を備える。ディスプレイ保護カバー１０を使用する際、第二表面１３は、ディスプレイ１１０と接触する。ディスプレイ保護カバー１０は、透明であり、その製造材料は、透明ガラス、或いは透明プラスチック等の透明な材料で製造される。
【０００９】
図２に示したように、第二表面１３における第二表面１３の少なくとも１つの辺と近接している個所には、光学構造１５が設置されている。本実施形態において、第二表面１３は、互いに対向する２つの長辺１３１及び２つの短辺１３３を備える。第二表面１３における２つの長辺１３１と近接している個所に光学構造１５が設置されている。他の実施形態において、第二表面１３における４つの辺と近接している個所に、それぞれ光学構造１５が設置され、或いは、第二表面１３における１つの辺と近接している個所に光学構造１５が設置されている。
【００１０】
図３に示したように、各光学構造１５は、２つの凹溝１５１を備え、２つの凹溝１５１は、互いに緊密に隣接しており、且つ互いに平行する。各凹溝１５１は、長辺１３１の延在方向と平行する方向に沿って延在されている。
【００１１】
他の実施形態において、各光学構造１５は、１つの凹溝１５１、或いは３つの凹溝１５１、或いは３つ以上の凹溝１５１を備える。各光学構造１５が３つの凹溝１５１、或いは３つ以上の凹溝１５１を備える場合、各隣接している２つの凹溝１５１は、互いに緊密に隣接し、且つ互いに平行している。
【００１２】
凹溝１５１は、Ｖ文字型の溝であるが、Ｖ文字型の溝に限らず、円弧溝或いは他の形状の溝でもよい。本実施形態において、各光学構造１５は、２つのＶ文字型の溝を備える。Ｖ文字型の溝の端部は、夾角或いは円弧角（Ｒ角）である。Ｖ文字型の溝の夾角の大きさが１つに限定されず、３０度、６０度、９０度等、実際要求によって設計される。
【００１３】
図４及び図５に示したように、ディスプレイ保護カバー１０を応用している電子装置１００は、ディスプレイ１１０を備える。ディスプレイ１１０は、ディスプレイのパネルであり、フレーム１１１及びディスプレイ表示区域１１３を備え、フレーム１１１は、ディスプレイ表示区域１１３の周縁に設置されている。
【００１４】
ディスプレイ保護カバー１０は、光学構造１５の第二表面１３をディスプレイ１１０に貼付し、且つ光学構造１５がフレーム１１１と対向している。
【００１５】
図５に示したように、光学構造１５は、凹溝１５１の延在方向（即ち、フレーム１１１の幅方向）と垂直になる方向に沿ってディスプレイ保護カバー１０によって完全に覆われ、且つフレーム１１１と対向している。
【００１６】
ディスプレイ保護カバー１０によって光学構造１５が設置されて、ディスプレイ１１０とディスプレイ保護カバー１０との間の周縁に微細化の視覚効果（光線が凹溝１５１の溝壁に照射して発生した屈折）が発生するので、人目がディスプレイ保護カバー１０によってディスプレイ１１０を見る際、ディスプレイ表示区域１１３が大きく見え、フレーム１１１が狭く見えて、フレーム１１１が見えない視覚効果が得られる。
【００１７】
ディスプレイ保護カバー１０は、タッチディスプレイであり、例えば、抵抗方式のタッチディスプレイ、或いは静電容量方式のタッチディスプレイである。電子装置１００は、携帯電話、タブレットパソコン等のディスプレイを備える電子装置である。
【００１８】
凹溝１５１の開け口の大きさ、数量は、フレーム１１１の幅によって設計される。凹溝１５１が延長する長さは、フレーム１１１の長さによって設計される。凹溝１５１の深さは、フレーム１１１の全体サイズによって設計される。
【００１９】
本発明の光学構造１５がディスプレイ保護カバー１０によって設置されるので、ディスプレイ保護カバー１０を電子装置１００のディスプレイ１１０に貼付して使用する際、ディスプレイ１１０とディスプレイ保護カバー１０との間の周縁に微細化の視覚効果が発生して、ディスプレイ１１０のフレームが狭く見える効果を得られ、且つフレームが見えない視覚効果が得られる。
【符号の説明】
【００２０】
１０  ディスプレイ保護カバー
１１  第一表面
１３  第二表面
１３１  長辺
１３３  短辺
１５  光学構造
１５１  凹溝
１００  電子装置
１１０  ディスプレイ
１１１  フレーム
１１３  ディスプレイ表示区域
【図１】
2017078841.tif 000003
【図２】
2017078841.tif 000004
【図３】
2017078841.tif 000005
【図４】
2017078841.tif 000006
【図５】
2017078841.tif 000007